(57)【要約】【課題】所定の条件を満たした後の消費電力の増大を抑制する。【解決手段】スマートウォッチ１は、表示部１３と、第１時計表示と、第１時計表示よりも低消費電力である第２時計表示とのうちいずれかを表示部１３に行わせ、所定の条件を満たしたか否かを判定するメインマイコン１１及びサブマイコン１２と、を備え、サブマイコン１２は、所定の条件を満たしたと判定されると、第２時計表示のみを表示部１３に行わせる。【選択図】図２
2019007818.tif 000002
【特許請求の範囲】
【請求項１】
表示手段と、
第１時計表示と、前記第１時計表示よりも低消費電力である第２時計表示とのうちいずれかを前記表示手段に行わせる表示制御手段と、
所定の条件を満たしたか否かを判定する判定手段と、
を備え、
前記表示制御手段は、前記判定手段により所定の条件を満たしたと判定されると、前記第２時計表示のみを前記表示手段に行わせることを特徴とする電子機器。
【請求項２】
前記第１時計表示及び前記第２時計表示のうちいずれを優先させるかを決定する決定手段を備え、
前記表示制御手段は、前記判定手段により所定の条件を満たしたと判定されると、前記決定手段によりいずれを優先させるかが決定されている場合には、前記決定手段による決定に基づいて、前記第１時計表示及び前記第２時計表示のうちいずれかを前記表示手段に行わせることを特徴とする請求項１に記載の電子機器。
【請求項３】
前記決定手段は、前記第１時計表示及び前記第２時計表示のうち、前記判定手段により所定の条件を満たしたと判定された時点で前記表示手段に行われていた方を優先させると決定することを特徴とする請求項２に記載の電子機器。
【請求項４】
前記第２時計表示の継続時間を計時する計時手段を備え、
前記決定手段は、前記判定手段により所定の条件を満たしたと判定された時点で前記表示手段に前記第２時計表示を行わせていた場合であって、前記計時手段により計時された、前記第１時計表示から前記第２時計表示へ切り替わった時から前記判定手段により所定の条件を満たしたと判定された時までの継続時間が所定時間以上である場合に、前記第２時計表示を優先させると決定することを特徴とする請求項２又は３に記載の電子機器。
【請求項５】
前記表示手段は、第１表示パネルと、前記第１表示パネルよりも低消費電力である第２表示パネルと、を有し、
前記表示制御手段は、前記第１時計表示を前記第１表示パネルに行わせ、前記第２時計表示を前記第２表示パネルに行わせることを特徴とする請求項１から４のいずれか一項に記載の電子機器。
【請求項６】
前記表示制御手段は、第１表示制御手段と、前記第１表示制御手段よりも低消費電力である第２表示制御手段と、を有し、
前記第１表示制御手段は、前記第１時計表示を前記表示手段に行わせ、前記第２表示制御手段は、前記第２時計表示を前記表示手段に行わせることを特徴とする請求項１から５のいずれか一項に記載の電子機器。
【請求項７】
各部に電源を供給する電源部への充電の開始を検出する検出手段を備え、
前記判定手段は、前記検出手段による検出結果に基づいて、所定の条件を満たしたか否かを判定することを特徴とする請求項１から６のいずれか一項に記載の電子機器。
【請求項８】
表示手段を備えるコンピュータを、
第１時計表示と、前記第１時計表示よりも低消費電力である第２時計表示とのうちいずれかを前記表示手段に行わせる表示制御手段、
所定の条件を満たしたか否かを判定する判定手段、
として機能させるためのプログラムであって、
前記表示制御手段は、前記判定手段により所定の条件を満たしたと判定されると、前記第２時計表示のみを前記表示手段に行わせることを特徴とするプログラム。
【請求項９】
第１時計表示と、前記第１時計表示よりも低消費電力である第２時計表示とのうちいずれかを表示手段に行わせる表示制御工程と、
所定の条件を満たしたか否かを判定する判定工程と、
を有し、
前記表示制御工程は、前記判定工程により所定の条件を満たしたと判定されると、前記第２時計表示のみを前記表示手段に行わせることを特徴とする時計表示制御方法。
【発明の詳細な説明】
【技術分野】
【０００１】
本発明は、電子機器、プログラム及び時計表示制御方法に関する。
【背景技術】
【０００２】
従来、所定の画面を表示する表示形態を複数備え、それらを状況に応じて使い分ける電子機器が提供されている。
【０００３】
そのような電子機器として、例えば、簡易なモノクロ表示を行うパワーセーブモードと、高精細で色彩表現や視覚効果に富むカラー表示を行う通常モードとを適宜切り替えることで、低消費電力を達成するスマートウォッチ等が提供されている（例えば、特許文献１参照）。
【先行技術文献】
【特許文献】
【０００４】
【特許文献１】特開２０１６−５９７５１号公報
【発明の概要】
【発明が解決しようとする課題】
【０００５】
ところで、低消費電力の時計表示と、高精細な時計表示との二つの表示形態を有する電子機器においては、例えば充電がなされたり、電池が切れた後に充電された上で再び電源が投入されたりした場合に、強制的に高精細な時計表示を行うものがあり、そのような所定の条件を満たした後の消費電力が多くなってしまうという問題点があった。
【０００６】
そこで、本発明は、所定の条件を満たした後の消費電力の増大を抑制できる電子機器、プログラム及び時計表示制御方法を提供することを目的としている。
【課題を解決するための手段】
【０００７】
以上の課題を解決するため、請求項１に記載の発明の電子機器は、
表示手段と、
第１時計表示と、前記第１時計表示よりも低消費電力である第２時計表示とのうちいずれかを前記表示手段に行わせる表示制御手段と、
所定の条件を満たしたか否かを判定する判定手段と、
を備え、
前記表示制御手段は、前記判定手段により所定の条件を満たしたと判定されると、前記第２時計表示のみを前記表示手段に行わせることを特徴とする。
【発明の効果】
【０００８】
本発明によれば、所定の条件を満たした後の消費電力の増大を抑制できる電子機器、プログラム及び時計表示制御方法を提供することができる。
【図面の簡単な説明】
【０００９】
【図１】本実施形態のスマートウォッチを示す概略構成図である。
【図２】スマートウォッチの機能構成を示すブロック図である。
【図３】本実施形態に係る時計表示制御処理の一例を示すフローチャートである。
【発明を実施するための形態】
【００１０】
以下に、本発明を実施するための形態について図面を用いて説明する。ただし、以下に述べる実施形態には、本発明を実施するために技術的に好ましい種々の限定が付されているが、発明の範囲を以下の実施形態及び図示例に限定するものではない。
【００１１】
《スマートウォッチ１の構成》
まず、図１及び図２を参照して、本実施形態の構成を説明する。図１は、本実施形態のスマートウォッチ１の概略構成図である。図２は、本実施形態のスマートウォッチ１の概略構成を示すブロック図である。
【００１２】
スマートウォッチ１は、各種の情報を表示するための表示部（表示手段）１３等を備える。この表示部１３は、第１表示パネル１３ａと第２表示パネル１３ｂとを有しており、具体的には、第１表示パネル１３ａの上に第２表示パネル１３ｂが積層されて構成されている。スマートウォッチ１は、第１表示パネル１３ａではカラー表示により種々の情報を表示し、第２表示パネル１３ｂではモノクロ表示により限定的な情報を表示する。また、スマートウォッチ１は、第２表示パネル１３ｂによって限定的な情報を表示するとき、第１表示パネル１３ａは起動していない状態とする。そして、カラー表示あるいは多様な内容の表示等、第２表示パネル１３ｂでは表示できない情報を表示する必要が生じた場合に、第１表示パネル１３ａを起動し、第２表示パネル１３ｂを起動していない状態に移行させると共に、カラー表示あるいは多様な内容の表示等、第２表示パネル１３ｂでは表示できない情報を第１表示パネル１３ａで表示する。また、必要に応じて、第１表示パネル１３ａの表示（例えば、各種メッセージ等の表示）に第２表示パネル１３ｂの表示（例えば、時計表示）を重ね合わせて表示することも可能である。
【００１３】
図２に示すように、スマートウォッチ１は、メインマイコン１１と、サブマイコン１２と、表示部１３（第１表示パネル１３ａ及び第２表示パネル１３ｂ）と、第１入力部１４と、第２入力部１５と、記憶部１６と、計時部１７と、通信部１８と、衛星電波受信モジュール１９と、充電検出部（検出手段）２０と、計測部２１と、電源部２２と、を備える。
【００１４】
メインマイコン１１は、記憶部１６に記憶されているシステムプログラムを読み出し、ＲＡＭ（Random Access Memory）のワークエリアに展開し、当該システムプログラムに従って各部を制御する。また、メインマイコン１１は、記憶部１６に記憶されている処理プログラムを読み出してワークエリアに展開し、後述する時計表示制御処理を始めとする各種処理を実行し、表示制御手段（第１表示制御手段）として機能する。例えば、メインマイコン１１は、通信部１８を介して受信した電子メールの着信や気象情報に関するメッセージの表示等、第１表示パネル１３ａに対する表示制御の指示を行う。また、例えば、メインマイコン１１は、計時部１７から所定タイミングで時刻情報を取得し、取得した時刻情報に基づき第１表示パネル１３ａに第１時計表示を行わせるとともに、取得した時刻情報をサブマイコン１２に出力する。ここで、第１時計表示は、後述する第２時計表示による表示内容と同じであっても異なっていても良いが、第２時計表示よりも高精細で色彩表現や視覚効果に優れ、消費電力が高い時計の表示態様である。
【００１５】
サブマイコン１２は、上記メインマイコン１１と同様、記憶部１６に記憶されているシステムプログラムを読み出し、ＲＡＭのワークエリアに展開し、当該システムプログラムに従って各部を制御する。また、サブマイコン１２は、記憶部１６に記憶されている処理プログラムを読み出してワークエリアに展開し、後述する時計表示制御処理を始めとする各種処理を実行し、表示制御手段（第２表示制御手段）、判定手段及び決定手段として機能する。例えば、サブマイコン１２は、衛星電波受信モジュール１９や充電検出部２０、計測部２１等による各種検出信号の取得や、第２表示パネル１３ｂに対する表示制御の指示を行う。また、例えば、サブマイコン１２は、メインマイコン１１から入力された時刻情報に基づき、第２表示パネル１３ｂに第２時計表示を行わせる。ここで、第２時計表示は、上記第１時計表示よりも簡易かつ低消費電力の時計の表示態様である。
したがって、サブマイコン１２が実行するプログラムの処理は、メインマイコン１１が実行する処理に比べて単純な動作であることから処理負荷が小さく、低消費電力で実行可能である。また、そのため、サブマイコン１２に要求されるハードウェアのスペックは、メインマイコン１１に比べて低いもので足りる。
【００１６】
また、サブマイコン１２は、表示パネル１３ｂでの第２時計表示の継続時間を計測するカウンタ回路（計時手段）１２ａを有する。したがって、カウンタ回路１２ａは、メインマイコン１１による第１表示パネル１３ａの動作が停止し、サブマイコン１２による第２表示パネル１３ｂの動作が開始した時にカウントを開始する。
【００１７】
また、メインマイコン１１及びサブマイコン１２は、ユーザによる設定又はスマートウォッチ１の状態に応じて、スマートウォッチ１において情報を表示するための二つの表示モードのいずれかに設定する。本実施形態においては、スマートウォッチ１は、通常モードと、ローパワーモードのいずれかの表示モードに設定される。
【００１８】
通常モードは、第１表示パネル１３ａにおいてカラー表示を含む多様な表示を許容する表示モードである。通常モードにおいては、例えば、上記第１時計表示、最大３０ｆｐｓでの表示の更新、秒針の表示、フルカラーの表示、アンチエイリアス処理の実行、任意のメッセージの表示、及び、メインマイコン１１の動作に関連する各種情報の表示等が可能である。なお、通常モードは、消費電力が高く、かつ情報処理量の大きいインタラクティブモードと、当該インタラクティブモードよりも消費電力が低く、かつ情報処理量も少ないアンビエントモードとを含むものとしても良い。
【００１９】
ローパワーモードは、第２表示パネル１３ｂにおいてモノクロ表示による限定的な表示を行う表示モードである。ローパワーモードにおいては、第２表示パネル１３ｂにおけるセグメント表示によって、第２時計表示を行う。そのため、任意のメッセージの表示や、メインマイコン１１の動作に関連する各種情報の表示等の多様な表示は行われない。
【００２０】
また、通常モードに設定されている場合には、第２表示パネル１３ｂの動作を停止（光を透過する状態を維持して情報の表示を行わない状態に移行）させ、ローパワーモードに設定されている場合には、第１表示パネル１３ａの動作を停止（電源の供給を停止）させる。これにより、不要な表示による電力の消費を抑制し、スマートウォッチ１において、低消費電力で必要な表示を行うことが可能となる。
【００２１】
なお、ローパワーモードに設定されている場合、任意のメッセージの表示等、ローパワーモードでは表示できない情報を表示する必要が生じると、サブマイコン１２は、ローパワーモードから通常モードに切り替えるものとしても良い。また、メインマイコン１１は、電源部２２の電池残量があらかじめ設定された閾値未満であると判定された場合、通常モードからローパワーモードに切り替えるものとしても良い。
【００２２】
表示部１３は、上記したように第１表示パネル１３ａと、第２表示パネル１３ｂと、を備えている。第１表示パネル１３ａは、バックライトを有するＴＦＴカラー液晶パネル等のアクティブマトリクス型の液晶表示装置から構成され、メインマイコン１１の制御下にて、第１時計表示を始めとする各種情報を表示画面に表示する。第２表示パネル１３ｂは、部分的に又は全体的に光を透過可能なＰＮ（Ｐｏｌｙｍｅｒ  Ｎｅｔｗｏｒｋ）液晶パネル（ここでは単純マトリクス型の液晶表示装置）から構成され、サブマイコン１２の制御下にて、第２時計表示を始めとする各種情報を表示画面に表示（例えばセグメント表示）する。
【００２３】
本実施形態において、第２表示パネル１３ｂであるＰＮ液晶パネルは、図１に示すように、第１表示パネル１３ａであるＴＦＴカラー液晶パネルの表示画面上に積層されている。このＰＮ液晶パネルは、電位がかけられていない部位では液晶分子が不規則に並び、光を反射するようになっている。つまり、この電位がかけられていない部位において、ＰＮ液晶パネルによる表示がなされることとなる。一方、電位がかけられた部位では、液晶分子が表示画面に対して垂直に整列するので、光を透過可能となっている。つまり、この電位がかけられた部位では、上記ＴＦＴカラー液晶パネルからの光を透過可能となるので、当該ＰＮ液晶パネルを介して当該ＴＦＴカラー液晶パネルによる表示を視認することができる。
【００２４】
第１入力部１４は、例えば第２表示パネル１３ｂの視野側に配置されたタッチパネル等の入力手段であり、ユーザの入力操作に起因する各種の操作信号をメインマイコン１１に出力する。これにより、メインマイコン１１において、第１表示パネル１３ａや第２表示パネル１３ｂに表示する項目や文字情報、画像情報の選択や設定等が行われる。
【００２５】
第２入力部１５は、例えばスマートウォッチ１の筐体に設けられたボタンスイッチやスライドスイッチ、マイク等の入力手段であり、ユーザの入力操作に起因する各種の操作信号をサブマイコン１２に出力する。これにより、サブマイコン１２において、衛星電波受信モジュール１９や充電検出部２０、計測部２１におけるセンシング動作の設定や制御、第１表示パネル１３ａや第２表示パネル１３ｂに表示する項目や文字情報、画像情報の選択や設定等が行われる。
【００２６】
記憶部１６は、メインマイコン１１及びサブマイコン１２それぞれからデータの読み出し及び書き込みが可能な不揮発性のメモリであり、例えば、フラッシュメモリやＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）である。記憶部１６には、スマートウォッチ１の各種機能等において生成された各種データ（各種設定内容のデータ等）が記憶される。
【００２７】
計時部１７は、水晶振動子等の発振素子を備え、スマートウォッチ１の電源がオンとされていない間も、電源部２２からの電力供給又は補助電源（一次電池等）からの電力供給によって、継続して時刻をカウントする。本実施形態において、計時部１７は、メインマイコン１１に対して、カウントした時刻を示す時刻情報を出力する。なお、計時部１７の時刻情報をサブマイコン１２に出力する構成としても良い。
【００２８】
通信部１８は、Ｂｌｕｅｔｏｏｔｈ（登録商標）やＢＬＥ（Ｂｌｕｅｔｏｏｔｈ（登録商標）Ｌｏｗ  Ｅｎｅｒｇｙ）あるいはＷｉ−Ｆｉ（Ｗｉｒｅｌｅｓｓ  Ｆｉｄｅｌｉｔｙ）等の無線通信機能を備え、他の電子機器（スマートフォン等）と通信を行う。
【００２９】
衛星電波受信モジュール１９は、図示略のアンテナを有し、ＧＰＳ（Global Positioning System）を始めとする測位システムに係る測位衛星からの電波を捕捉、受信して復調し、取得した現在位置情報や時刻情報をサブマイコン１２に出力する。衛星電波受信モジュール１９は、スマートウォッチ１全体の電源操作とは別に、ユーザの操作に基づき個別に電源供給をオンオフする制御が可能となっている。
【００３０】
充電検出部２０は、充電端子の接続等による、外部電源から電源部２２への充電の開始を検出し、その検出信号をサブマイコン１２に出力する。
【００３１】
計測部２１は、脈拍センサ２１ａ、地磁気センサ２１ｂ、加速度センサ２１ｃ、ジャイロセンサ２１ｄ等の各種センサを備えている。計測部２１の検出信号は、サブマイコン１２に出力される。なお、計測部２１の検出信号のうちいずれかをメインマイコン１１に出力する構成としても良く、腕時計の機能の一部として、これらセンサの検出信号に基づく情報を表示することとしても良い。また、計測部２１は、例えば、図示しない気圧センサ、気温センサ、ＧＰＳ等を利用した位置センサ等、その他のセンサを更に備えていても良い。
【００３２】
電源部２２は、スマートウォッチ１の動作に係る電力を所定の電圧で供給する。電源部２２は、例えば、各種方式の電池（リチウム電池、ニッケル・水素充電池等）を具備している。本実施形態では、電源部２２からメインマイコン１１及びサブマイコン１２に対して電力が供給される。また、電源部２２は、電池残量を検出し、検出した電池残量を示す信号をメインマイコン１１に出力する。
【００３３】
《スマートウォッチ１の動作》
本実施形態のスマートウォッチ１により行われる時計表示制御処理について、図３を参照して説明する。図３は、本実施形態に係る時計表示制御処理の一例を示すフローチャートである。
【００３４】
本実施形態の時計表示制御処理が行われるタイミングは、特に限定されるものではなく、スマートウォッチ１がいずれかの時計表示を行っている場合における任意のタイミングで行われる。
【００３５】
図３に示すように、まず、サブマイコン１２は、充電検出部２０により電源部２２への充電の開始が検出されたか否かを判定する（ステップＳ１０１）。
【００３６】
充電の開始が検出されないと判定されると（ステップＳ１０１；ＮＯ）、サブマイコン１２は、再びステップＳ１０１の処理を行う。
【００３７】
充電の開始が検出されたと判定されると（ステップＳ１０１；ＹＥＳ）、サブマイコン１２は、充電の開始が検出された時における表示モードがローパワーモードであるか否かを判定する（ステップＳ１０２）。
【００３８】
表示モードがローパワーモードでない、すなわち通常モードであると判定されると（ステップＳ１０２；ＮＯ）、サブマイコン１２は、通常モードを優先させると決定し、引き続き表示モードを通常モードに設定する（ステップＳ１０５）。
【００３９】
表示モードがローパワーモードであると判定されると（ステップＳ１０２；ＹＥＳ）、サブマイコン１２は、ローパワーモードが所定時間以上継続しているか否かを判定する（ステップＳ１０３）。具体的には、例えば、サブマイコン１２は、ローパワーモードに設定された時（通常モードからローパワーモードに切り替わった時）から、上記ステップＳ１０１の処理にて充電の開始が検出された時までの経過時間を、カウンタ回路１２ａによりカウントしておき、カウントされた経過時間があらかじめ設定された所定時間以上であるか否かを判定する。
【００４０】
ローパワーモードが所定時間以上継続していないと判定されると（ステップＳ１０３；ＮＯ）、サブマイコン１２は、通常モードを優先させると決定し、表示モードを通常モードに設定する（ステップＳ１０５）。具体的には、サブマイコン１２は、第２表示パネル１３ｂによる第２時計表示を終了するとともに、メインマイコン１１は、第１表示パネル１３ａによる第１時計表示を行う。
【００４１】
ローパワーモードが所定時間以上継続していると判定されると（ステップＳ１０３；ＹＥＳ）、サブマイコン１２は、ローパワーモードを優先させると決定し、引き続き表示モードをローパワーモードに設定する（ステップＳ１０４）。これにより、所定の条件を満たした後の消費電力の増大を抑制することができる。また、ローパワーモードが所定時間以上継続している場合には、ユーザは充電開始後もローパワーモードでのスマートウォッチ１の使用を望むであろうことが予測されるため、サブマイコン１２は表示モードの切り替えを行わずにローパワーモードを継続することで、ユーザの操作負担を軽減することができる。
【００４２】
以上のようにして、時計表示制御処理を行う。
【００４３】
なお、上記ステップＳ１０１の処理では、サブマイコン１２が、充電の開始が検出されたか否かを判定するものとしたが、これに限られるものではない。例えば、サブマイコン１２は、電池残量がゼロの電源部２２に対して充電が開始された状態、又は電源部２２がオフの状態で、ユーザの操作により電源部２２がオンに設定されたか否かを判定するものとしても良い。この場合には、電源部２２がオンに設定されたと判定された場合に、上記ステップＳ１０２の処理を行うものとしても良い。
【００４４】
また、上記時計表示制御処理では、上記ステップＳ１０２、Ｓ１０３及びＳ１０５の処理を行うものとしたが、これに限られるものではなく、ステップＳ１０２、Ｓ１０３及びＳ１０５の処理を行わないものとしても良い。すなわち、上記ステップＳ１０１の処理にて充電の開始が検出されたと判定された場合に（ステップＳ１０１；ＹＥＳ）、サブマイコン１２がローパワーモードに設定するものとしても良い（ステップＳ１０４）。
【００４５】
また、上記時計表示制御処理では、上記ステップＳ１０３の処理を行うものとしたが、ステップＳ１０３の処理を行わないものとしても良い。すなわち、上記ステップＳ１０２の処理にて表示モードがローパワーモードであると判定された場合には（ステップＳ１０２；ＹＥＳ）、サブマイコン１２がローパワーモードを優先させると決定してローパワーモードに設定し（ステップＳ１０４）、上記ステップＳ１０２の処理にて表示モードが通常モードであると判定された場合には（ステップＳ１０２；ＮＯ）、サブマイコン１２が通常モードを優先させると決定して通常モードに設定するものとしても良い（ステップＳ１０５）。
【００４６】
また、上記ステップＳ１０３の処理では、通常モードからローパワーモードに切り替わった時から充電の開始が検出された時までの経過時間が、あらかじめ設定された所定時間以上であるか否かに基づき、サブマイコン１２が、ローパワーモードが所定時間以上継続しているか否かを判定するものとしたが、これに限られるものではない。例えば、サブマイコン１２は、通常モードからローパワーモードに切り替わった時の電源部２２の電池残量を検出するとともに、充電の開始が検出された時の電源部２２の電池残量を検出し、その変化量があらかじめ設定された閾値以上であるか否かに基づき、ローパワーモードが所定時間以上継続しているか否かを判定するものとしても良い。
【００４７】
《本実施形態の技術的効果》
本実施形態によれば、スマートウォッチ１が、表示部１３と、第１時計表示と、第１時計表示よりも低消費電力である第２時計表示とのうちいずれかを表示部１３に行わせ、所定の条件を満たしたか否かを判定するメインマイコン１１及びサブマイコン１２と、を備え、サブマイコン１２が、所定の条件を満たしたと判定されると、第２時計表示のみを表示部１３に行わせるので、所定の条件を満たした後の消費電力の増大を抑制できる。
【００４８】
また、サブマイコン１２が、第１時計表示及び第２時計表示のうちいずれを優先させるかを決定し、所定の条件を満たしたと判定されると、いずれを優先させるかが決定されている場合には、その決定に基づいて、第１時計表示及び第２時計表示のうちいずれかを表示部１３に行わせるので、複数の時計表示のうちいずれかの時計表示に切り替える際のユーザの操作負担を軽減することができる。
【００４９】
また、サブマイコン１２が、第１時計表示及び第２時計表示のうち、所定の条件を満たしたと判定された時点で表示部１３に行われていた方を優先させると決定するので、所定の条件を満たす前後で同一の時計表示を行うことができ、時計表示の切り替え操作の負担を軽減することができる。
【００５０】
また、第２時計表示の継続時間を計時するカウンタ回路１２ａを備え、サブマイコン１２が、所定の条件を満たしたと判定された時点で表示部１３に第２時計表示を行わせていた場合であって、カウンタ回路１２ａにより計時された、第１時計表示から第２時計表示へ切り替わった時から所定の条件を満たしたと判定された時までの継続時間が所定時間以上である場合に、第２時計表示を優先させると決定するので、所定の条件を満たす前に第２時計表示を一定期間以上行っていた場合に、所定の条件を満たした後も第２時計表示を行わせることができる。したがって、ユーザが第２時計表示を行うことを望むと推定される場合にのみ、第２時計表示を行うので、時計表示の切り替え操作の負担をより確実に軽減することができる。
【００５１】
また、表示部１３が、第１表示パネル１３ａと、第１表示パネル１３ａよりも低消費電力である第２表示パネル１３ｂと、を有し、メインマイコン１１及びサブマイコン１２が、第１時計表示を第１表示パネル１３ａに行わせ、第２時計表示を第２表示パネル１３ｂに行わせるので、第２時計表示をより低消費電力で行うことができる。
【００５２】
また、メインマイコン１１が、第１時計表示を表示部１３に行わせ、メインマイコン１１よりも低消費電力であるサブマイコン１２が、第２時計表示を表示部１３に行わせるので、第２時計表示をより低消費電力で行うことができる。
【００５３】
また、各部に電源を供給する電源部２２への充電の開始を検出する充電検出部２０を備え、サブマイコン１２が、充電検出部２０による検出結果に基づいて、所定の条件を満たしたか否かを判定するので、充電開始に伴う時計表示の切り換え操作の負担を軽減することができる。
【００５４】
《その他》
なお、上記実施形態における記述は、本発明に係る好適な電子機器の一例であり、これに限定されるものではない。
【００５５】
例えば、上記した実施形態では、上記時計表示制御処理を行う電子機器がスマートウォッチ１であるものとしたが、これに限られるものではない。例えば、電子機器は、スマートフォン、タブレット端末、ＰＣ（personal computer）等であっても良い。
【００５６】
また、上記した実施形態では、スマートウォッチ１が図２に示すように構成されているものとしたが、これに限られるものではない。例えば、スマートウォッチ１は、振動を発する振動モータや音声を流すスピーカ等を有し、任意のタイミングでユーザへの報知を行う出力部等を備えていても良い。
【００５７】
また、上記した実施形態では、スマートウォッチ１が、メインマイコン１１及びサブマイコン１２を備えているものとしたが、これに限られるものではない。すなわち、サブマイコン１２を備えておらず、メインマイコン１１のみを備え、メインマイコン１１が第１時計表示及び第２時計表示を行うものとしても良い。
【００５８】
また、上記した実施形態では、表示部１３が、第１表示パネル１３ａ及び第２表示パネル１３ｂが積層されて構成されているものとしたが、これに限られるものではない。すなわち、表示部１３が一つの表示パネルで構成されているものとしても良く、この場合には、メインマイコン１１及びサブマイコン１２が第１時計表示及び第２時計表示のいずれも当該表示パネルに行わせる。さらには、表示部１３が三つ以上の表示パネルで構成されているものとしても良い。
【００５９】
また、上記した実施形態では、スマートウォッチ１が、タッチパネル等の入力手段である第１入力部１４と、ボタンスイッチやスライドスイッチ、マイク等の入力手段である第２入力部１５と、を備えているものとしたが、これに限られるものではない。すなわち、第１入力部１４及び第２入力部１５のうち一方を備えていなくても良い。その場合には、第１入力部１４及び第２入力部１５のうち他方が、ユーザの入力操作に起因する各種の操作信号をメインマイコン１１及びサブマイコン１２に出力するように構成されているものとしても良い。
【００６０】
また、上記した実施形態では、第２時計表示の継続時間を計時するカウンタ回路１２ａを備え、サブマイコン１２が、所定の条件を満たしたと判定された時点で表示部１３に第２時計表示を行わせていた場合であって、カウンタ回路１２ａにより計時された、第１時計表示から第２時計表示へ切り替わった時から所定の条件を満たしたと判定された時までの継続時間が所定時間以上である場合に、第２時計表示を優先させると決定するものとしたが、これに限られるものではない。すなわち、第１時計表示の継続時間を計時する計時手段を備え、メインマイコン１１及びサブマイコン１２が、所定の条件を満たしたと判定された時点で表示部１３に第１時計表示を行わせていた場合であって、計時手段により計時された、第２時計表示から第１時計表示へ切り替わった時から所定の条件を満たしたと判定された時までの継続時間が所定時間以上である場合に、第１時計表示を優先させると決定するものとしても良い。
【００６１】
また、上記した実施形態では、本発明に係るプログラムのコンピュータ読み取り可能な媒体としてハードディスクや半導体の不揮発性メモリ等を使用した例を開示したが、この例に限定されない。その他のコンピュータ読み取り可能な媒体として、ＣＤ−ＲＯＭ等の可搬型記録媒体を適用することが可能である。また、本発明に係るプログラムのデータを通信回線を介して提供する媒体として、キャリアウェーブ（搬送波）も適用される。
【００６２】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
表示手段と、
第１時計表示と、前記第１時計表示よりも低消費電力である第２時計表示とのうちいずれかを前記表示手段に行わせる表示制御手段と、
所定の条件を満たしたか否かを判定する判定手段と、
を備え、
前記表示制御手段は、前記判定手段により所定の条件を満たしたと判定されると、前記第２時計表示のみを前記表示手段に行わせることを特徴とする電子機器。
＜請求項２＞
前記第１時計表示及び前記第２時計表示のうちいずれを優先させるかを決定する決定手段を備え、
前記表示制御手段は、前記判定手段により所定の条件を満たしたと判定されると、前記決定手段によりいずれを優先させるかが決定されている場合には、前記決定手段による決定に基づいて、前記第１時計表示及び前記第２時計表示のうちいずれかを前記表示手段に行わせることを特徴とする請求項１に記載の電子機器。
＜請求項３＞
前記決定手段は、前記第１時計表示及び前記第２時計表示のうち、前記判定手段により所定の条件を満たしたと判定された時点で前記表示手段に行われていた方を優先させると決定することを特徴とする請求項２に記載の電子機器。
＜請求項４＞
前記第２時計表示の継続時間を計時する計時手段を備え、
前記決定手段は、前記判定手段により所定の条件を満たしたと判定された時点で前記表示手段に前記第２時計表示を行わせていた場合であって、前記計時手段により計時された、前記第１時計表示から前記第２時計表示へ切り替わった時から前記判定手段により所定の条件を満たしたと判定された時までの継続時間が所定時間以上である場合に、前記第２時計表示を優先させると決定することを特徴とする請求項２又は３に記載の電子機器。
＜請求項５＞
前記表示手段は、第１表示パネルと、前記第１表示パネルよりも低消費電力である第２表示パネルと、を有し、
前記表示制御手段は、前記第１時計表示を前記第１表示パネルに行わせ、前記第２時計表示を前記第２表示パネルに行わせることを特徴とする請求項１から４のいずれか一項に記載の電子機器。
＜請求項６＞
前記表示制御手段は、第１表示制御手段と、前記第１表示制御手段よりも低消費電力である第２表示制御手段と、を有し、
前記第１表示制御手段は、前記第１時計表示を前記表示手段に行わせ、前記第２表示制御手段は、前記第２時計表示を前記表示手段に行わせることを特徴とする請求項１から５のいずれか一項に記載の電子機器。
＜請求項７＞
各部に電源を供給する電源部への充電の開始を検出する検出手段を備え、
前記判定手段は、前記検出手段による検出結果に基づいて、所定の条件を満たしたか否かを判定することを特徴とする請求項１から６のいずれか一項に記載の電子機器。
＜請求項８＞
表示手段を備えるコンピュータを、
第１時計表示と、前記第１時計表示よりも低消費電力である第２時計表示とのうちいずれかを前記表示手段に行わせる表示制御手段、
所定の条件を満たしたか否かを判定する判定手段、
として機能させるためのプログラムであって、
前記表示制御手段は、前記判定手段により所定の条件を満たしたと判定されると、前記第２時計表示のみを前記表示手段に行わせることを特徴とするプログラム。
＜請求項９＞
第１時計表示と、前記第１時計表示よりも低消費電力である第２時計表示とのうちいずれかを表示手段に行わせる表示制御工程と、
所定の条件を満たしたか否かを判定する判定工程と、
を有し、
前記表示制御工程は、前記判定工程により所定の条件を満たしたと判定されると、前記第２時計表示のみを前記表示手段に行わせることを特徴とする時計表示制御方法。
【符号の説明】
【００６３】
１      スマートウォッチ（電子機器）
１１    メインマイコン（表示制御手段、第１表示制御手段）
１２    サブマイコン（表示制御手段、判定手段、決定手段、第２表示制御手段）
１２ａ  カウンタ回路（計時手段）
１３    表示部（表示手段）
１３ａ  第１表示パネル
１３ｂ  第２表示パネル
２０  充電検出部（検出手段）
２２  電源部
【図１】
2019007818.tif 000003
【図２】
2019007818.tif 000004
【図３】
2019007818.tif 000005